(57)【要約】      （修正有）【課題】ユーザが音場測定用のマイクロホンを管理する手間を省略できる装置及び音場補正方法を提供する。【解決手段】マイクロホンとして携帯電話機２０の内蔵マイクロホンを利用する。内蔵マイクロホンの検出オーディオに係るデータは、赤外線通信等のワイヤレス通信により携帯電話機２０からレシーバ１５へ送られる。【選択図】図１
2007259391.tif 000002
【特許請求の範囲】
【請求項１】
通信手段を備える携帯型情報処理装置、及び
複数チャンネルのオーディオ信号を生成するオーディオ信号生成部と、該オーディオ信号生成部からのオーディオ信号に基づくオーディオを出力するスピーカシステムと、少なくとも前記携帯型情報処理装置との通信が可能な通信手段とを備えるオーディオ装置、
からなるオーディオシステムにおいて、
前記携帯型情報処理装置は、
前記オーディオ装置におけるスピーカシステムより出力されるオーディオを検出するマイクロホン、及び
前記マイクロホンにより検出したオーディオに係るデータを前記通信手段により、前記オーディオ装置の通信手段へ送信する制御手段、
を備え、
前記オーディオ装置は、
前記通信手段より前記携帯型情報処理装置の通信手段により送信された前記オーディオに係るデータを受信する通信手段、及び
前記受信した前記オーディオに係るデータに基づき、前記オーディオ信号を補正する補正手段、
を備えていることを特徴とするオーディオシステム。
【請求項２】
オーディオ装置からのオーディオを検出するマイクロホン、
前記オーディオ装置の通信手段とデータを送受可能な通信手段、及び
前記マイクロホンにより検出したオーディオに係るデータを前記通信手段により、前記オーディオ装置の通信手段へ送信する制御手段、
を備えていることを特徴とする携帯型情報処理装置。
【請求項３】
前記通信手段により音場測定用プログラムをダウンロードしてインストールするインストール手段、及び
インストールされた前記音場測定用プログラムに基づき作動する前記制御手段、
を備えていることを特徴とする請求項２記載の携帯型情報処理装置。
【請求項４】
さらに、表示手段を備え、
前記表示手段には、前記オーディオに係るデータ、又は、前記通信手段によりオーディオ装置から取得した前記オーディオに係る補正結果を表示させることを特徴とする請求項２又は３記載の携帯型情報処理装置。
【請求項５】
前記マイクロホンにより検出したオーディオに係るデータを保存するデータ保存手段を備え、
前記制御手段により、前記データ保存手段に保存したデータを前記通信手段により前記オーディオ装置の通信手段へ送信する前記制御手段、
を備えることを特徴とする請求項２〜４のいずれかに記載の携帯型情報処理装置。
【請求項６】
請求項２〜５のいずれかの携帯型情報処理装置から、該携帯型情報処理装置のマイクロホンにより検出されたオーディオに係るデータを受信する通信手段、及び
受信した前記オーディオに係るデータに基づきオーディオ信号を補正する補正手段、
を備えることを特徴とするオーディオ装置。
【請求項７】
オーディオ装置からのオーディオを、携帯型情報処理装置のマイクロホンにより検出するステップ、
前記マイクロホンにより検出したオーディオに係るデータを前記携帯型情報処理装置からオーディオ装置へ各々の通信により送受信するステップ、及び
前記オーディオ装置が前記携帯型情報処理装置から受信したオーディオに係るデータに基づき前記オーディオ装置の各チャンネルのオーディオ信号を補正するステップ、
を備えていることを特徴とする音場補正方法。
【発明の詳細な説明】
【技術分野】
【０００１】
本発明は、音場測定を実施して、聴取位置に所望の音場を生成するためのオーディオ信号の補正値を算出するオーディオシステム、携帯型情報処理装置、オーディオ装置及び音場補正方法に関するものである。
【背景技術】
【０００２】
特許文献１は、スピーカシステムの各スピーカから出力されるオーディオが聴取位置に適切な音場を生成するように、各チャンネルのオーディオ信号について遅延時間等の補正値を算出するオーディオシステムを開示する。該オーディオシステムでは、補正値算出のために、聴取位置にマイクロホンを配置し、該マイクロホンにより、環境ノイズを検出するとともに、各スピーカからテストオーディオを順番に流して、聴取位置におけるテストオーディオを検出している。
【特許文献１】特開２００２−３３０５００号公報
【発明の開示】
【発明が解決しようとする課題】
【０００３】
特許文献１のオーディオシステムでは、補正値算出のために、マイクロホンが必要となり、メーカが、オーディオシステムに音場測定用マイクロホンを同梱したり、ユーザがマイクロホンを別途購入したりする必要がある。さらに、ユーザは、音場測定に先立ち、マイクロホンをオーディオ装置にケーブルで接続する手間が生じる。
【０００４】
本発明の目的は、ユーザが音場測定用のマイクロホンを管理する手間を省略できるオーディオシステム、携帯型情報処理装置、オーディオ装置及び音場補正方法を提供することである。
【課題を解決するための手段】
【０００５】
本発明のオーディオシステムは、通信手段を備える携帯型情報処理装置、及び複数チャンネルのオーディオ信号を生成するオーディオ信号生成部と、該オーディオ信号生成部からのオーディオ信号に基づくオーディオを出力するスピーカシステムと、少なくとも携帯型情報処理装置との通信が可能な通信手段とを有するオーディオ装置、からなる。
【０００６】
本発明の携帯型情報処理装置は次の要素を備えている。
オーディオ装置からのオーディオを検出するマイクロホン、
オーディオ装置の通信手段とデータを送受可能な通信手段、及び
マイクロホンにより検出したオーディオに係るデータを通信手段により、オーディオ装置の通信手段へ送信する制御手段。
【０００７】
本発明のオーディオ装置は次の要素を備えている。
前述の携帯型情報処理装置から、該携帯型情報処理装置のマイクロホンにより検出されたオーディオに係るデータを受信する通信手段、及び
受信したオーディオに係るデータに基づきオーディオ信号を補正する補正手段。
【０００８】
本発明の音場補正方法は次のステップを備えている。
オーディオ装置からのオーディオを、携帯型情報処理装置のマイクロホンにより検出するステップ、
マイクロホンにより検出したオーディオに係るデータを携帯型情報処理装置からオーディオ装置へ各々の通信により送受信するステップ、及び
オーディオ装置が携帯型情報処理装置から受信したオーディオに係るデータに基づきオーディオ装置の各チャンネルのオーディオ信号を補正するステップ。
【発明の効果】
【０００９】
本発明によれば、携帯電話機等の携帯型情報処理装置のマイクロホンを、音場測定のマイクロホンとして使用するので、ユーザは、煩雑なマイクロホンの管理や探索を省略して、音場測定作業に臨むことができ、該作業の煩わしさを低減できる。
【発明を実施するための最良の形態】
【００１０】
図１はＡＶシステム１０の装備及び配置の状態を示している。ＡＶシステム１０は、オーディオルーム１１に配備され、レシーバ１５、モニタ１６、スピーカシステム１７及び携帯電話機２０を装備している。携帯電話機２０は、音場測定期間のみ、ＡＶシステム１０の構成要素となるが、ＡＶシステム１０の専用の構成要素ではなく、音場測定時以外は、ＡＶシステム１０とは独立に本来の携帯電話機として使用可能となっている。レシーバ１５と携帯電話機２０とは、Ｂｌｕｅｔｏｏｔｈ又は赤外線通信等のワイヤレス通信により相互にデータを送受自在になっている。
【００１１】
スピーカシステム１７は、スピーカＦＬ，Ｃ，ＦＲ，ＳＬ，ＳＲ，ＳＷを装備している。スピーカＳＬ，ＳＲはサラウンドスピーカと呼ばれるものである。スピーカＳＷはサブウーハと呼ばれるものである。視聴位置をオーディオルーム１１のほぼ中心に設定した場合に、オーディオルーム１１におけるモニタ１６及び各スピーカの位置を該視聴位置に対して説明する。
【００１２】
モニタ１６は、該視聴位置のユーザに対してその前方中央に配置される。スピーカＦＬ，ＦＲは、モニタ１６の左右にそれぞれ配置され、スピーカＣは該視聴位置のユーザの正面前方に配置される。スピーカＳＬ，ＳＲは、オーディオルーム１１における該視聴位置のユーザに対してその真左及び真右か後方斜め左右かにそれぞれ配置される。スピーカＳＷは任意の位置に配置される。
【００１３】
図２は携帯電話機２０のブロック図である。携帯電話機２０は、アプリケーションチップ２１、ベースバンドチップ２２、内蔵スピーカ２３、内蔵マイクロホン２４、キー入力部２５及び表示部２６を装備する。内蔵スピーカ２３はアプリケーションチップ２１からのオーディオ信号に係るオーディオを出力する。内蔵マイクロホン２４は、オーディオをピックアップして、それを電気信号へ変換し、アプリケーションチップ２１へ送る。キー入力部２５は、ユーザにより操作されるテンキーなどを装備し、操作されたキーに係る信号をアプリケーションチップ２１へ送る。表示部２６は、液晶表示装置などから成り、アプリケーションチップ２１からの画像信号に係る画像を表示する。
【００１４】
アプリケーションチップ２１には、さらに、赤外線通信回路部３０、メモリカードモジュール３２及びカメラモジュール３３が接続される。赤外線通信回路部３０は、アンテナ３１を介して他の赤外線通信機器と赤外線で通信を行なう。メモリカードモジュール３２は、携帯電話機２０に挿抜自在に装着され、所定の情報を読み書き自在に保存している。カメラモジュール３３は写真撮影に使用される。
【００１５】
アプリケーションチップ２１には、さらに、データ用メモリ３６及びＳＤＲＡＭ（Synchronous DRAM）３７が接続される。データ用メモリ３６は、不揮発性メモリであり、アプリケーションチップ２１のＣＰＵ（図示せず）がアプリケーションの実行の際に使用する所定のデータが保存されている。ＳＤＲＡＭ３７は、アプリケーションチップ２１のＣＰＵの主記憶装置として利用される。
【００１６】
ベースバンドチップ２２はアプリケーションチップ２１との間でデータを送受自在となっており、ベースバンドチップ２２には、ＣＤＭＡ（Code Division Multiple Access）回路部４０及びＢｌｕｅｔｏｏｔｈモジュール４２が接続される。ＣＤＭＡ回路部４０は、アンテナ４１を介して電話会社の基地局との間で通話及びデータに係る情報を送受する。Ｂｌｕｅｔｏｏｔｈモジュール４２は、アンテナ４３を介して近辺の電子機器とデータを送受する。
【００１７】
図３は自動音場補正機能のフローチャートである。自動音場補正機能とは、聴取位置（ＡＶシステム１０では視聴位置）における音場を適切化するために、聴取位置にマイクロホンを配置して、該マイクロホンにより環境ノイズや各スピーカからの測定音をピックアップし、そのピックアップしたオーディオのデータに基づいて各チャンネルのオーディオ信号の補正値を算出するものである。
【００１８】
図４は自動音場補正機能におけるシーケンス図である。図４において、携帯電話機２０及びレシーバ１５は、Ｂｌｕｅｔｏｏｔｈ通信又は赤外線通信を介してデータを送受する。図３及び図４を参照して、自動音場補正機能の具体的処理について説明する。
【００１９】
ユーザが携帯電話機２０の所定のキーを操作すると、自動音場補正機能が開始する。携帯電話機２０からレシーバ１５へ自動音場補正開始要求が送られる（Ｋ７１）。これに対して、レシーバ１５から携帯電話機２０へＯＫ／ＮＧ（可／不可）の返答メッセージが送られる（Ｋ７２）。返答メッセージがＯＫなら、以降の処理へ進み、ＮＧであるならば、携帯電話機２０の表示部２６にエラーが表示されて、処理が終了する（Ｋ７３）。
【００２０】
次に、携帯電話機２０からレシーバ１５へ測定ノイズＡの要求メッセージが送られる（Ｋ７４）。この後、携帯電話機２０は内蔵マイクロホン２４による録音を開始するとともに（Ｋ７５）、レシーバ１５は所定のスピーカから測定ノイズＡを出力する（Ｋ７５）。所定時間が経過すると、レシーバ１５は測定ノイズＡの出力を終了したメッセージを携帯電話機２０へ送る（Ｋ７７）。これに伴い、携帯電話機２０は内蔵マイクロホン２４による録音を中止して（Ｋ７８）、録音テータをレシーバ１５へ送る（Ｋ７９）。
【００２１】
レシーバ１５は、携帯電話機２０から受信したマイク録音データに基づき、現在測定対象となっているスピーカの有無の解析、該スピーカの出力音量の適正レベルの解析、さらに、環境の音響特性の解析を行なう（Ｋ８０）。これら解析が終了しだい、レシーバ１５から携帯電話機２０へ解析終了のメッセージが送られる（Ｋ８１）。次に、スピーカを次の順番のものにして、Ｋ７４〜Ｋ８１を順番が最後のスピーカまで繰り返す（Ｋ８２）。なお、スピーカの順番とは、例えば、ＦＬ→ＦＲ→Ｃ→ＳＬ→ＳＲ→ＳＷとされる。
【００２２】
Ｋ７４〜Ｋ８１の処理は、図３のＳ５０〜Ｓ５３の処理に対応する。なお、Ｓ５０〜Ｓ５３では、Ｋ８０の解析の内、適正スピーカレベルの解析は行なわれず、適正スピーカレベルの解析はＳ６２において行なっている。
【００２３】
Ｓ４５では、自動音場測定を開始する。Ｓ４６では、変数ＸｃｈにＬｃｈスピーカ（ＦＬ）を設定し、Ｓ５０では、Ｘｃｈに対応するスピーカから所定のノイズ（測定ノイズＡ）を出力する。この後、Ｓ５１では、内蔵マイクロホン２４がノイズを検出したか否かを判定し、検出すれば、Ｓ５２において、Ｘｃｈスピーカは接続されている（Ｘｃｈスピーカは有り）と判断し、検出できなければ、Ｓ５３において、Ｘｃｈスピーカは接続されていない（Ｘｃｈスピーカは無し）と判断する。
【００２４】
Ｋ８２の処理は、図３のＳ５４〜Ｓ５６の処理に対応する。すなわち、Ｓ５４では、Ｘｃｈに設定されているスピーカが、順番が最後のものであるか否かを判定し、判定が正であるならば、Ｓ５５において、Ｘｃｈに順番が最初であるＬｃｈスピーカを設定して、Ｓ６０以降の音場測定へ進む。また、Ｓ５４の判定が否であるならば、Ｓ５６において、Ｘｃｈに順番が次となっているスピーカを設定する。
【００２５】
図４において、Ｋ８２の後、測定ノイズＢの要求メッセージが携帯電話機２０からレシーバ１５へ送られる（Ｋ８３）。携帯電話機２０では、遅延時間測定用のタイマーがカウント開始されるとともに、内蔵マイクロホン２４への入力オーディオのエッジ割り込みを許可する（Ｋ８４）。これに対して、レシーバ１５は、所定のスピーカから測定ノイズＢを出力する（Ｋ８５）。
【００２６】
携帯電話機２０が、内蔵マイクロホン２４への入力オーディオのエッジ割り込みを検出すると、タイマーのカウントを停止するとともに、エッジ割り込みを禁止する（Ｋ８６）。携帯電話機２０は、タイマーのカウントデータをレシーバ１５へ送信する（Ｋ８７）。これに対し、レシーバ１５は、受信したカウントデータに基づきスピーカ距離を解析する（Ｋ８８）。
【００２７】
レシーバ１５は、スピーカ距離の解析を終了しだい、携帯電話機２０へ解析終了メッセージを送信する（Ｋ８９）。Ｋ８３〜Ｋ８９の処理は全スピーカチャンネルについて繰り返される（Ｋ９０）。全スピーカチャンネルについて解析が終了したならば、レシーバ１５から携帯電話機２０へ自動音場補正終了のメッセージが送信される（Ｋ９１）。
【００２８】
Ｋ８３〜Ｋ８８の処理は、図３のＳ６１〜Ｓ６３の処理に対応する。Ｓ６１では、Ｘｃｈスピーカが接続されているか否か（Ｘｃｈスピーカが有るか否か）を判定し、判定が正である場合のみ、Ｓ６２，Ｓ６３を実行する。Ｓ６２では、Ｘｃｈスピーカから出力するオーディオのレベル設定のために、内蔵マイクロホン２４が今回、測定したオーディオレベルを配列変数Ｌｅｖｅｌ［Ｘｃｈ］に設定する。Ｓ６３では、ディスタンス設定のために、図４のＫ８７のカウントデータを別の配列変数Ｄｉｓｔ［Ｘｃｈ］に設定する。
【００２９】
Ｌｅｖｅｌ［Ｘｃｈ］は、各チャンネルのオーディオ信号のレベルを調和させて、視聴位置における各スピーカからの音量を適正化するための各チャンネルのオーディオ信号のレベルに係る補正値算出に使用される。また、配列変数Ｄｉｓｔ［Ｘｃｈ］は、視聴位置における各スピーカからのオーディオの到達時間を適正化するための各チャンネルのオーディオ信号の遅延時間の補正値算出に使用される。
【００３０】
Ｋ８９〜Ｋ９１の処理は、図３のＳ６４，Ｓ６５の処理に対応する。Ｓ６４では、Ｘｃｈスピーカが、順番が最後のスピーカであるか否かを判定する。該判定が正であるならば、自動音場補正機能を終了する。Ｓ６４の判定が否であるならば、Ｓ６５で、Ｘｃｈに順番が次のスピーカを設定してから、Ｓ６１へ戻る。
【００３１】
図５はオーディオシステム１００の構成図である。オーディオシステム１００は、携帯型情報処理装置１１０及びオーディオ装置１３０を有している。前述のＡＶシステム１０（図１）はオーディオシステム１００の具体例であり、オーディオシステム１００は、専用のオーディオシステムではなく、ＡＶシステムの構成要素として装備されるオーディオシステムであってもよい。ＡＶシステム１０のスピーカシステム１７及び携帯電話機２０はそれぞれオーディオ装置１３０及び携帯型情報処理装置１１０の具体例である。
【００３２】
一般に、部屋内の聴取位置における音場を適正化するために、音場測定が実施される。これに対処するため、公知のオーディオシステムは、音場測定期間では所定の聴取位置に配備されて該聴取位置のオーディオを検出するマイクロホン、及び各チャンネルのオーディオ信号を生成するオーディオ信号生成部（例：図１のレシーバ１５）と該オーディオ信号生成部からのオーディオ信号に基づくオーディオを出力するスピーカシステム（例：図１のスピーカシステム１７）とを備え、音場測定期間におけるマイクロホンの検出オーディオに基づきオーディオ信号の補正値を算出する。該オーディオシステム１００では、マイクロホンとして携帯型情報処理装置１１０のマイクロホン１１１を利用する。
【００３３】
携帯型情報処理装置１１０は、マイクロホン１１１、通信手段１１２及び制御手段１１３を備えている。マイクロホン１１１は、聴取位置のオーディオを検出する。通信手段１１２は、オーディオ装置１３０の通信手段１３１とデータを送受自在となっている。制御手段１１３は、音場測定期間では内蔵マイクロホンの検出オーディオに係るデータを通信手段１１２からオーディオ装置１３０の通信手段１３１へ送信させる。
【００３４】
マイクロホン１１１は、典型的には、携帯型情報処理装置１１０の内蔵マイクロホンであるが、携帯型情報処理装置１１０に適宜、外付けされるマイクロホンであってもよい。通信手段１１２，１３１は典型的にはワイヤレス通信手段である。ワイヤレス通信は例えばＢｌｕｅｔｏｏｔｈ又は赤外線通信である。
【００３５】
携帯型情報処理装置１１０は、典型的には、携帯電話機であるが、これに限定されず、マイクロホン１１１及び通信手段１１２を装備するものであれば、その他ＰＤＡ（Personal Digital Assistants）、ノート型ＰＣ（ＰＣ：パーソナルコンピュータ）、携帯型ゲーム機、ボイス録音機能付きデジタルオーディオプレーヤ、又はＩＣレコーダであってもよい。
【００３６】
こうして、ユーザは、めったに使用しないマイクロホンではなく、普段、身の周りに置いている携帯型情報処理装置１１０を利用して、オーディオシステム１００の音場測定を実施できるので、マイクロホンを探す手間を省略して、音場測定を能率的に実施できる。
【００３７】
携帯型情報処理装置１１０をオーディオシステム１００の音場測定に関与させるためには、通常、携帯型情報処理装置１１０に音場測定用プログラム１１７が必要になる。一般的な携帯型情報処理装置１１０では、購入当初は、音場測定用プログラム１１７がインストールされていない。これに対処するため、携帯型情報処理装置１１０では、音場測定に先立ち、音場測定用プログラム１１７をオーディオ装置１３０自体、又はオーディオ装置１３０のメーカの該Ｗｅｂサイトからダウンロードして、インストールすることができる。インストールされたオーディオ装置１３０は、音場測定の終了後、携帯型情報処理装置１１０のメモリ容量を確保するために、アンインストールできるようになっていることが好ましい。
【００３８】
これに対処するために、携帯型情報処理装置１１０は、さらに、インストール手段１１８を備えることができる。インストール手段１１８は、通信手段１１２を介してオーディオ装置１３０から音場測定用プログラム１１７をダウンロードして、インストールする。そして、制御手段１１３は、インストールされた音場測定用プログラム１１７に基づき作動するようになっている。
【００３９】
携帯型情報処理装置１１０は、例えばそれが携帯電話機２０（図１）である場合のように、典型的には、表示手段１２１を備えている。制御手段１１３は、音場測定期間に音場測定に係る情報を表示手段１２１に表示させる。表示手段１２１に表示される音場測定に係る情報とは、例えば、携帯型情報処理装置１１０において測定したマイクロホン１１１による検出信号、オーディオ装置１３０より通信手段１１２を用いて受信した音場測定終了までの残り時間、音場測定を再実施する旨、及び／又はオーディオ装置１３０におけるオーディオ信号の補正値に係る情報である。
【００４０】
なお、音場測定は、事情により、エラーとなり、再実施が必要になることが時折り、生じる。表示手段１２１に、音場測定を再実施する旨に係る情報を表示することは、ユーザへの通知情報として有益である。
【００４１】
携帯型情報処理装置１１０は、データ用などのメモリ（好ましくは不揮発性メモリ）を備えている。該メモリは、例えば、携帯電話機２０（図１）では、メモリカードモジュール３２に装着されるメモリカードである。携帯型情報処理装置１１０のメモリは、データ保存手段１２３として機能し得る。データ保存手段１２３は、音場測定時におけるマイクロホン１１１の検出オーディオに係るデータを音場測定データとして保存する。そして、制御手段１１３は、適宜、保存中の音場測定データを通信手段１１２によりオーディオ装置１３０の通信手段１３１へ送信させる。
【００４２】
これにより、ユーザは、音場測定を省略したい場合には、データ保存手段１２３に保存した音場測定データをオーディオ装置１３０へ送信して、該音場測定データを今回、実際に実行する音場測定のデータに代替させることができる。
【００４３】
データ保存手段１２３に保存する音場測定データは、複数の場合に対応付けて、作成し、保存することもできる。すなわち、一日の時間帯や、平日と休日との相違等により、環境ノイズが異なることがある。また、ユーザの気分により、聴取位置を適宜、前後左右に変更したいことが起きる。したがって、各場合ごとに、音場測定データを保存し、今回の場合と環境や条件が一致する又は類似する過去の音場測定における音場測定データを携帯型情報処理装置１１０からオーディオ装置１３０へ送り、オーディオ装置１３０に適切な補正値を算出させることができる。
【００４４】
データ保存手段１２３に保存する音場測定データは、各オーディオ装置１３０ごとに、作成し、保存することもできる。すなわち、１つの家庭の複数の部屋に別々のオーディオ装置１３０があったり、自宅及び別荘のように、複数の家に別々のオーディオ装置１３０を所有していたりすることがある。その場合には、各オーディオ装置１３０ごとに、スピーカの装備状態、部屋の広さ、環境ノイズ、及び聴取位置が相違していることがある。したがって、各オーディオ装置１３０ごとに、音場測定データを保存し、今回のオーディオ装置１３０に対応付けられている音場測定データを携帯型情報処理装置１１０からオーディオ装置１３０へ送ることが可能である。
【００４５】
オーディオ装置１３０は通信手段１３１及び補正手段１３２を備えている。通信手段１３１は、携帯型情報処理装置１１０から、該携帯型情報処理装置１１０のマイクロホン１１１の検出オーディオに係るデータを受信する。補正手段１３２は、受信した検出オーディオに係るデータに基づきオーディオ信号を補正する。
【００４６】
補正値は、例えば、各チャンネルのオーディオ信号の遅延時間に係る補正値、チャンネル間のオーディオ信号レベルに係る補正値、各チャンネルのオーディオ信号に対するイコライザ処理に係る補正値、及び／又はトーンに係る補正値である。
【００４７】
図６は音場補正方法１４０のフローチャートである。音場補正方法１４０は例えばオーディオシステム１００に適用される。Ｓ１４１では、音場測定期間に聴取位置のオーディオを、該聴取位置に配置された携帯型情報処理装置１１０のマイクロホン１１１により検出する。
【００４８】
Ｓ１４２では、マイクロホン１１１の検出オーディオに係るデータを携帯型情報処理装置１１０からオーディオ装置１３０へ送信する。Ｓ１４３では、オーディオ装置１３０が携帯型情報処理装置１１０から受信したオーディオに係るデータに基づきオーディオ装置１３０の各チャンネルのオーディオ信号の補正値を算出する。
【００４９】
オーディオシステム１００について説明したオーディオシステム１００に適用した具体例は、そのまま、音場補正方法１４０の具体例となり得る。
【００５０】
例えば、Ｓ１４１の前に、音場測定用プログラム１１７を携帯型情報処理装置１１０にオーディオ装置１３０、又はオーディオ装置１３０のメーカの該Ｗｅｂサイトからからダウンロードし、インストールするステップを追加することかできる。その場合、Ｓ１４１〜Ｓ１４３は、音場測定用プログラム１１７に基づき実行される。
【００５１】
また、Ｓ１４１〜Ｓ１４３と並行して、表示手段１２１に、音場測定期間に音場測定に係る情報を表示させるステップを追加することもできる。
【００５２】
データ保存手段１２３に、音場測定期間におけるマイクロホン１１１の検出オーディオに係るデータを音場測定データとして保存するステップを、追加することもできる。そして、適宜、保存中の音場測定データを通信手段１１２によりオーディオ装置１３０の通信手段１３１へ送信させるステップを追加し、次の音場測定の実行必要時では、該音場測定を省略することができる。
【００５３】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００５４】
【図１】ＡＶシステムの装備及び配置の状態を示す図である。
【図２】携帯電話機のブロック図である。
【図３】自動音場補正機能のフローチャートである。
【図４】自動音場補正機能におけるシーケンス図である。
【図５】オーディオシステムの構成図である。
【図６】音場補正方法のフローチャートである。
【符号の説明】
【００５５】
１００：オーディオシステム、１１０：携帯型情報処理装置、１１１：マイクロホン、１１２：通信手段、１１３：制御手段、１１７：音場測定用プログラム、１１８：インストール手段、１２１：表示手段、１２３：データ保存手段、１３０：オーディオ装置、１３１：通信手段、１３２：補正手段、１４０：音場補正方法。
【図１】
2007259391.tif 000003
【図２】
2007259391.tif 000004
【図３】
2007259391.tif 000005
【図４】
2007259391.tif 000006
【図５】
2007259391.tif 000007
【図６】
2007259391.tif 000008
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
通信手段を備える携帯型情報処理装置、及び
オーディオ信号を生成するオーディオ信号生成部と、該オーディオ信号生成部からのオーディオ信号に基づく音を出力するスピーカシステムと、少なくとも前記携帯型情報処理装置との通信が可能な通信手段とを備えるオーディオ装置、
からなるオーディオシステムにおいて、
前記携帯型情報処理装置は、
前記オーディオ装置におけるスピーカシステムより出力される音を検出するマイクロホン、及び
前記マイクロホンにより検出した音に係るデータを前記通信手段により、前記オーディオ装置の通信手段へ送信する制御手段、
を備え、
前記オーディオ装置は、
前記通信手段より前記携帯型情報処理装置の通信手段により送信された前記音に係るデータを受信する通信手段、及び
前記受信した前記音に係るデータに基づき、前記オーディオ信号を補正する補正手段、
を備えていることを特徴とするオーディオシステム。
【請求項２】
オーディオ装置からの音を検出するマイクロホン、
前記オーディオ装置の通信手段とデータを送受可能な通信手段、及び
前記マイクロホンにより検出した音に係るデータを前記通信手段により、前記オーディオ装置の通信手段へ送信する制御手段、
を備えていることを特徴とする携帯型情報処理装置。
【請求項３】
前記通信手段により音場測定用プログラムをダウンロードしてインストールするインストール手段、及び
インストールされた前記音場測定用プログラムに基づき作動する前記制御手段、
を備えていることを特徴とする請求項２記載の携帯型情報処理装置。
【請求項４】
さらに、表示手段を備え、
前記表示手段には、前記音に係るデータ、又は、前記通信手段によりオーディオ装置から取得した前記音に係る補正結果を表示させることを特徴とする請求項２又は３記載の携帯型情報処理装置。
【請求項５】
前記マイクロホンにより検出した音に係るデータを保存するデータ保存手段を備え、
前記制御手段により、前記データ保存手段に保存したデータを前記通信手段により前記オーディオ装置の通信手段へ送信する前記制御手段、
を備えることを特徴とする請求項２〜４のいずれかに記載の携帯型情報処理装置。
【請求項６】
請求項２〜５のいずれかの携帯型情報処理装置から、該携帯型情報処理装置のマイクロホンにより検出された音に係るデータを受信する通信手段、及び
受信した前記音に係るデータに基づきオーディオ信号を補正する補正手段、
を備えることを特徴とするオーディオ装置。
【請求項７】
オーディオ装置からの音を、携帯型情報処理装置のマイクロホンにより検出するステップ、
前記マイクロホンにより検出した音に係るデータを前記携帯型情報処理装置からオーディオ装置へ各々の通信により送受信するステップ、及び
前記オーディオ装置が前記携帯型情報処理装置から受信した音に係るデータに基づき前記オーディオ装置の各チャンネルのオーディオ信号を補正するステップ、
を備えていることを特徴とする音場補正方法。
【手続補正２】
【補正対象書類名】明細書
【補正対象項目名】全文
【補正方法】変更
【補正の内容】
【発明の詳細な説明】
【技術分野】
【０００１】
本発明は、音場測定を実施して、聴取位置に所望の音場を生成するためのオーディオ信号の補正値を算出するオーディオシステム、携帯型情報処理装置、オーディオ装置及び音場補正方法に関するものである。
【背景技術】
【０００２】
特許文献１は、スピーカシステムの各スピーカから出力されるオーディオが聴取位置に適切な音場を生成するように、各チャンネルのオーディオ信号について遅延時間等の補正値を算出するオーディオシステムを開示する。該オーディオシステムでは、補正値算出のために、聴取位置にマイクロホンを配置し、該マイクロホンにより、環境ノイズを検出するとともに、各スピーカからテスト音を順番に流して、聴取位置におけるテスト音を検出している。
【特許文献１】特開２００２−３３０５００号公報
【発明の開示】
【発明が解決しようとする課題】
【０００３】
特許文献１のオーディオシステムでは、補正値算出のために、マイクロホンが必要となり、メーカが、オーディオシステムに音場測定用マイクロホンを同梱したり、ユーザがマイクロホンを別途購入したりする必要がある。さらに、ユーザは、音場測定に先立ち、マイクロホンをオーディオ装置にケーブルで接続する手間が生じる。
【０００４】
本発明の目的は、ユーザが音場測定用のマイクロホンを管理する手間を省略できるオーディオシステム、携帯型情報処理装置、オーディオ装置及び音場補正方法を提供することである。
【課題を解決するための手段】
【０００５】
本発明のオーディオシステムは、通信手段を備える携帯型情報処理装置、及びオーディオ信号を生成するオーディオ信号生成部と、該オーディオ信号生成部からのオーディオ信号に基づく音を出力するスピーカシステムと、少なくとも携帯型情報処理装置との通信が可能な通信手段とを有するオーディオ装置、からなる。
【０００６】
本発明の携帯型情報処理装置は次の要素を備えている。
オーディオ装置からの音を検出するマイクロホン、
オーディオ装置の通信手段とデータを送受可能な通信手段、及び
マイクロホンにより検出した音に係るデータを通信手段により、オーディオ装置の通信手段へ送信する制御手段。
【０００７】
本発明のオーディオ装置は次の要素を備えている。
前述の携帯型情報処理装置から、該携帯型情報処理装置のマイクロホンにより検出された音に係るデータを受信する通信手段、及び
受信した音に係るデータに基づきオーディオ信号を補正する補正手段。
【０００８】
本発明の音場補正方法は次のステップを備えている。
オーディオ装置からの音を、携帯型情報処理装置のマイクロホンにより検出するステップ、
マイクロホンにより検出した音に係るデータを携帯型情報処理装置からオーディオ装置へ各々の通信により送受信するステップ、及び
オーディオ装置が携帯型情報処理装置から受信した音に係るデータに基づきオーディオ装置の各チャンネルのオーディオ信号を補正するステップ。
【発明の効果】
【０００９】
本発明によれば、携帯電話機等の携帯型情報処理装置のマイクロホンを、音場測定のマイクロホンとして使用するので、ユーザは、煩雑なマイクロホンの管理や探索を省略して、音場測定作業に臨むことができ、該作業の煩わしさを低減できる。
【発明を実施するための最良の形態】
【００１０】
図１はＡＶシステム１０の装備及び配置の状態を示している。ＡＶシステム１０は、オーディオルーム１１に配備され、レシーバ１５、モニタ１６、スピーカシステム１７及び携帯電話機２０を装備している。携帯電話機２０は、音場測定期間のみ、ＡＶシステム１０の構成要素となるが、ＡＶシステム１０の専用の構成要素ではなく、音場測定時以外は、ＡＶシステム１０とは独立に本来の携帯電話機として使用可能となっている。レシーバ１５と携帯電話機２０とは、Ｂｌｕｅｔｏｏｔｈ又は赤外線通信等のワイヤレス通信により相互にデータを送受自在になっている。
【００１１】
スピーカシステム１７は、スピーカＦＬ，Ｃ，ＦＲ，ＳＬ，ＳＲ，ＳＷを装備している。スピーカＳＬ，ＳＲはサラウンドスピーカと呼ばれるものである。スピーカＳＷはサブウーハと呼ばれるものである。視聴位置をオーディオルーム１１のほぼ中心に設定した場合に、オーディオルーム１１におけるモニタ１６及び各スピーカの位置を該視聴位置に対して説明する。
【００１２】
モニタ１６は、該視聴位置のユーザに対してその前方中央に配置される。スピーカＦＬ，ＦＲは、モニタ１６の左右にそれぞれ配置され、スピーカＣは該視聴位置のユーザの正面前方に配置される。スピーカＳＬ，ＳＲは、オーディオルーム１１における該視聴位置のユーザに対してその真左及び真右か後方斜め左右かにそれぞれ配置される。スピーカＳＷは任意の位置に配置される。
【００１３】
図２は携帯電話機２０のブロック図である。携帯電話機２０は、アプリケーションチップ２１、ベースバンドチップ２２、内蔵スピーカ２３、内蔵マイクロホン２４、キー入力部２５及び表示部２６を装備する。内蔵スピーカ２３はアプリケーションチップ２１からのオーディオ信号に係る音を出力する。内蔵マイクロホン２４は、音をピックアップして、それを電気信号へ変換し、アプリケーションチップ２１へ送る。キー入力部２５は、ユーザにより操作されるテンキーなどを装備し、操作されたキーに係る信号をアプリケーションチップ２１へ送る。表示部２６は、液晶表示装置などから成り、アプリケーションチップ２１からの画像信号に係る画像を表示する。
【００１４】
アプリケーションチップ２１には、さらに、赤外線通信回路部３０、メモリカードモジュール３２及びカメラモジュール３３が接続される。赤外線通信回路部３０は、アンテナ３１を介して他の赤外線通信機器と赤外線で通信を行なう。メモリカードモジュール３２は、携帯電話機２０に挿抜自在に装着され、所定の情報を読み書き自在に保存している。カメラモジュール３３は写真撮影に使用される。
【００１５】
アプリケーションチップ２１には、さらに、データ用メモリ３６及びＳＤＲＡＭ（Synchronous DRAM）３７が接続される。データ用メモリ３６は、不揮発性メモリであり、アプリケーションチップ２１のＣＰＵ（図示せず）がアプリケーションの実行の際に使用する所定のデータが保存されている。ＳＤＲＡＭ３７は、アプリケーションチップ２１のＣＰＵの主記憶装置として利用される。
【００１６】
ベースバンドチップ２２はアプリケーションチップ２１との間でデータを送受自在となっており、ベースバンドチップ２２には、ＣＤＭＡ（Code Division Multiple Access）回路部４０及びＢｌｕｅｔｏｏｔｈモジュール４２が接続される。ＣＤＭＡ回路部４０は、アンテナ４１を介して電話会社の基地局との間で通話及びデータに係る情報を送受する。Ｂｌｕｅｔｏｏｔｈモジュール４２は、アンテナ４３を介して近辺の電子機器とデータを送受する。
【００１７】
図３は自動音場補正機能のフローチャートである。自動音場補正機能とは、聴取位置（ＡＶシステム１０では視聴位置）における音場を適切化するために、聴取位置にマイクロホンを配置して、該マイクロホンにより環境ノイズや各スピーカからの測定音をピックアップし、そのピックアップしたオーディオのデータに基づいて各チャンネルのオーディオ信号の補正値を算出するものである。
【００１８】
図４は自動音場補正機能におけるシーケンス図である。図４において、携帯電話機２０及びレシーバ１５は、Ｂｌｕｅｔｏｏｔｈ通信又は赤外線通信を介してデータを送受する。図３及び図４を参照して、自動音場補正機能の具体的処理について説明する。
【００１９】
ユーザが携帯電話機２０の所定のキーを操作すると、自動音場補正機能が開始する。携帯電話機２０からレシーバ１５へ自動音場補正開始要求が送られる（Ｋ７１）。これに対して、レシーバ１５から携帯電話機２０へＯＫ／ＮＧ（可／不可）の返答メッセージが送られる（Ｋ７２）。返答メッセージがＯＫなら、以降の処理へ進み、ＮＧであるならば、携帯電話機２０の表示部２６にエラーが表示されて、処理が終了する（Ｋ７３）。
【００２０】
次に、携帯電話機２０からレシーバ１５へ測定ノイズＡの要求メッセージが送られる（Ｋ７４）。この後、携帯電話機２０は内蔵マイクロホン２４による録音を開始するとともに（Ｋ７５）、レシーバ１５は所定のスピーカから測定ノイズＡを出力する（Ｋ７５）。所定時間が経過すると、レシーバ１５は測定ノイズＡの出力を終了したメッセージを携帯電話機２０へ送る（Ｋ７７）。これに伴い、携帯電話機２０は内蔵マイクロホン２４による録音を中止して（Ｋ７８）、録音テータをレシーバ１５へ送る（Ｋ７９）。
【００２１】
レシーバ１５は、携帯電話機２０から受信したマイク録音データに基づき、現在測定対象となっているスピーカの有無の解析、該スピーカの出力音量の適正レベルの解析、さらに、環境の音響特性の解析を行なう（Ｋ８０）。これら解析が終了しだい、レシーバ１５から携帯電話機２０へ解析終了のメッセージが送られる（Ｋ８１）。次に、スピーカを次の順番のものにして、Ｋ７４〜Ｋ８１を順番が最後のスピーカまで繰り返す（Ｋ８２）。なお、スピーカの順番とは、例えば、ＦＬ→ＦＲ→Ｃ→ＳＬ→ＳＲ→ＳＷとされる。
【００２２】
Ｋ７４〜Ｋ８１の処理は、図３のＳ５０〜Ｓ５３の処理に対応する。なお、Ｓ５０〜Ｓ５３では、Ｋ８０の解析の内、適正スピーカレベルの解析は行なわれず、適正スピーカレベルの解析はＳ６２において行なっている。
【００２３】
Ｓ４５では、自動音場測定を開始する。Ｓ４６では、変数ＸｃｈにＬｃｈスピーカ（ＦＬ）を設定し、Ｓ５０では、Ｘｃｈに対応するスピーカから所定のノイズ（測定ノイズＡ）を出力する。この後、Ｓ５１では、内蔵マイクロホン２４がノイズを検出したか否かを判定し、検出すれば、Ｓ５２において、Ｘｃｈスピーカは接続されている（Ｘｃｈスピーカは有り）と判断し、検出できなければ、Ｓ５３において、Ｘｃｈスピーカは接続されていない（Ｘｃｈスピーカは無し）と判断する。
【００２４】
Ｋ８２の処理は、図３のＳ５４〜Ｓ５６の処理に対応する。すなわち、Ｓ５４では、Ｘｃｈに設定されているスピーカが、順番が最後のものであるか否かを判定し、判定が正であるならば、Ｓ５５において、Ｘｃｈに順番が最初であるＬｃｈスピーカを設定して、Ｓ６０以降の音場測定へ進む。また、Ｓ５４の判定が否であるならば、Ｓ５６において、Ｘｃｈに順番が次となっているスピーカを設定する。
【００２５】
図４において、Ｋ８２の後、測定ノイズＢの要求メッセージが携帯電話機２０からレシーバ１５へ送られる（Ｋ８３）。携帯電話機２０では、遅延時間測定用のタイマーがカウント開始されるとともに、内蔵マイクロホン２４への入力オーディオのエッジ割り込みを許可する（Ｋ８４）。これに対して、レシーバ１５は、所定のスピーカから測定ノイズＢを出力する（Ｋ８５）。
【００２６】
携帯電話機２０が、内蔵マイクロホン２４への入力オーディオのエッジ割り込みを検出すると、タイマーのカウントを停止するとともに、エッジ割り込みを禁止する（Ｋ８６）。携帯電話機２０は、タイマーのカウントデータをレシーバ１５へ送信する（Ｋ８７）。これに対し、レシーバ１５は、受信したカウントデータに基づきスピーカ距離を解析する（Ｋ８８）。
【００２７】
レシーバ１５は、スピーカ距離の解析を終了しだい、携帯電話機２０へ解析終了メッセージを送信する（Ｋ８９）。Ｋ８３〜Ｋ８９の処理は全スピーカチャンネルについて繰り返される（Ｋ９０）。全スピーカチャンネルについて解析が終了したならば、レシーバ１５から携帯電話機２０へ自動音場補正終了のメッセージが送信される（Ｋ９１）。
【００２８】
Ｋ８３〜Ｋ８８の処理は、図３のＳ６１〜Ｓ６３の処理に対応する。Ｓ６１では、Ｘｃｈスピーカが接続されているか否か（Ｘｃｈスピーカが有るか否か）を判定し、判定が正である場合のみ、Ｓ６２，Ｓ６３を実行する。Ｓ６２では、Ｘｃｈスピーカから出力するオーディオのレベル設定のために、内蔵マイクロホン２４が今回、測定したオーディオレベルを配列変数Ｌｅｖｅｌ［Ｘｃｈ］に設定する。Ｓ６３では、ディスタンス設定のために、図４のＫ８７のカウントデータを別の配列変数Ｄｉｓｔ［Ｘｃｈ］に設定する。
【００２９】
Ｌｅｖｅｌ［Ｘｃｈ］は、各チャンネルのオーディオ信号のレベルを調和させて、視聴位置における各スピーカからの音量を適正化するための各チャンネルのオーディオ信号のレベルに係る補正値算出に使用される。また、配列変数Ｄｉｓｔ［Ｘｃｈ］は、視聴位置における各スピーカからのオーディオの到達時間を適正化するための各チャンネルのオーディオ信号の遅延時間の補正値算出に使用される。
【００３０】
Ｋ８９〜Ｋ９１の処理は、図３のＳ６４，Ｓ６５の処理に対応する。Ｓ６４では、Ｘｃｈスピーカが、順番が最後のスピーカであるか否かを判定する。該判定が正であるならば、自動音場補正機能を終了する。Ｓ６４の判定が否であるならば、Ｓ６５で、Ｘｃｈに順番が次のスピーカを設定してから、Ｓ６１へ戻る。
【００３１】
図５はオーディオシステム１００の構成図である。オーディオシステム１００は、携帯型情報処理装置１１０及びオーディオ装置１３０を有している。前述のＡＶシステム１０（図１）はオーディオシステム１００の具体例であり、オーディオシステム１００は、専用のオーディオシステムではなく、ＡＶシステムの構成要素として装備されるオーディオシステムであってもよい。ＡＶシステム１０のスピーカシステム１７及び携帯電話機２０はそれぞれオーディオ装置１３０及び携帯型情報処理装置１１０の具体例である。
【００３２】
一般に、部屋内の聴取位置における音場を適正化するために、音場測定が実施される。これに対処するため、公知のオーディオシステムは、音場測定期間では所定の聴取位置に配備されて該聴取位置の音を検出するマイクロホン、及び各チャンネルのオーディオ信号を生成するオーディオ信号生成部（例：図１のレシーバ１５）と該オーディオ信号生成部からのオーディオ信号に基づく音を出力するスピーカシステム（例：図１のスピーカシステム１７）とを備え、音場測定期間におけるマイクロホンの検出音に基づきオーディオ信号の補正値を算出する。該オーディオシステム１００では、マイクロホンとして携帯型情報処理装置１１０のマイクロホン１１１を利用する。
【００３３】
携帯型情報処理装置１１０は、マイクロホン１１１、通信手段１１２及び制御手段１１３を備えている。マイクロホン１１１は、聴取位置の音を検出する。通信手段１１２は、オーディオ装置１３０の通信手段１３１とデータを送受自在となっている。制御手段１１３は、音場測定期間では内蔵マイクロホンの検出音に係るデータを通信手段１１２からオーディオ装置１３０の通信手段１３１へ送信させる。
【００３４】
マイクロホン１１１は、典型的には、携帯型情報処理装置１１０の内蔵マイクロホンであるが、携帯型情報処理装置１１０に適宜、外付けされるマイクロホンであってもよい。通信手段１１２，１３１は典型的にはワイヤレス通信手段である。ワイヤレス通信は例えばＢｌｕｅｔｏｏｔｈ又は赤外線通信である。
【００３５】
携帯型情報処理装置１１０は、典型的には、携帯電話機であるが、これに限定されず、マイクロホン１１１及び通信手段１１２を装備するものであれば、その他ＰＤＡ（Personal Digital Assistants）、ノート型ＰＣ（ＰＣ：パーソナルコンピュータ）、携帯型ゲーム機、ボイス録音機能付きデジタルオーディオプレーヤ、又はＩＣレコーダであってもよい。
【００３６】
こうして、ユーザは、めったに使用しないマイクロホンではなく、普段、身の周りに置いている携帯型情報処理装置１１０を利用して、オーディオシステム１００の音場測定を実施できるので、マイクロホンを探す手間を省略して、音場測定を能率的に実施できる。
【００３７】
携帯型情報処理装置１１０をオーディオシステム１００の音場測定に関与させるためには、通常、携帯型情報処理装置１１０に音場測定用プログラム１１７が必要になる。一般的な携帯型情報処理装置１１０では、購入当初は、音場測定用プログラム１１７がインストールされていない。これに対処するため、携帯型情報処理装置１１０では、音場測定に先立ち、音場測定用プログラム１１７をオーディオ装置１３０自体、又はオーディオ装置１３０のメーカの該Ｗｅｂサイトからダウンロードして、インストールすることができる。インストールされたオーディオ装置１３０は、音場測定の終了後、携帯型情報処理装置１１０のメモリ容量を確保するために、アンインストールできるようになっていることが好ましい。
【００３８】
これに対処するために、携帯型情報処理装置１１０は、さらに、インストール手段１１８を備えることができる。インストール手段１１８は、通信手段１１２を介してオーディオ装置１３０から音場測定用プログラム１１７をダウンロードして、インストールする。そして、制御手段１１３は、インストールされた音場測定用プログラム１１７に基づき作動するようになっている。
【００３９】
携帯型情報処理装置１１０は、例えばそれが携帯電話機２０（図１）である場合のように、典型的には、表示手段１２１を備えている。制御手段１１３は、音場測定期間に音場測定に係る情報を表示手段１２１に表示させる。表示手段１２１に表示される音場測定に係る情報とは、例えば、携帯型情報処理装置１１０において測定したマイクロホン１１１による検出信号、オーディオ装置１３０より通信手段１１２を用いて受信した音場測定終了までの残り時間、音場測定を再実施する旨、及び／又はオーディオ装置１３０におけるオーディオ信号の補正値に係る情報である。
【００４０】
なお、音場測定は、事情により、エラーとなり、再実施が必要になることが時折り、生じる。表示手段１２１に、音場測定を再実施する旨に係る情報を表示することは、ユーザへの通知情報として有益である。
【００４１】
携帯型情報処理装置１１０は、データ用などのメモリ（好ましくは不揮発性メモリ）を備えている。該メモリは、例えば、携帯電話機２０（図１）では、メモリカードモジュール３２に装着されるメモリカードである。携帯型情報処理装置１１０のメモリは、データ保存手段１２３として機能し得る。データ保存手段１２３は、音場測定時におけるマイクロホン１１１の検出音に係るデータを音場測定データとして保存する。そして、制御手段１１３は、適宜、保存中の音場測定データを通信手段１１２によりオーディオ装置１３０の通信手段１３１へ送信させる。
【００４２】
これにより、ユーザは、音場測定を省略したい場合には、データ保存手段１２３に保存した音場測定データをオーディオ装置１３０へ送信して、該音場測定データを今回、実際に実行する音場測定のデータに代替させることができる。
【００４３】
データ保存手段１２３に保存する音場測定データは、複数の場合に対応付けて、作成し、保存することもできる。すなわち、一日の時間帯や、平日と休日との相違等により、環境ノイズが異なることがある。また、ユーザの気分により、聴取位置を適宜、前後左右に変更したいことが起きる。したがって、各場合ごとに、音場測定データを保存し、今回の場合と環境や条件が一致する又は類似する過去の音場測定における音場測定データを携帯型情報処理装置１１０からオーディオ装置１３０へ送り、オーディオ装置１３０に適切な補正値を算出させることができる。
【００４４】
データ保存手段１２３に保存する音場測定データは、各オーディオ装置１３０ごとに、作成し、保存することもできる。すなわち、１つの家庭の複数の部屋に別々のオーディオ装置１３０があったり、自宅及び別荘のように、複数の家に別々のオーディオ装置１３０を所有していたりすることがある。その場合には、各オーディオ装置１３０ごとに、スピーカの装備状態、部屋の広さ、環境ノイズ、及び聴取位置が相違していることがある。したがって、各オーディオ装置１３０ごとに、音場測定データを保存し、今回のオーディオ装置１３０に対応付けられている音場測定データを携帯型情報処理装置１１０からオーディオ装置１３０へ送ることが可能である。
【００４５】
オーディオ装置１３０は通信手段１３１及び補正手段１３２を備えている。通信手段１３１は、携帯型情報処理装置１１０から、該携帯型情報処理装置１１０のマイクロホン１１１の検出音に係るデータを受信する。補正手段１３２は、受信した検出音に係るデータに基づきオーディオ信号を補正する。
【００４６】
補正値は、例えば、各チャンネルのオーディオ信号の遅延時間に係る補正値、チャンネル間のオーディオ信号レベルに係る補正値、各チャンネルのオーディオ信号に対するイコライザ処理に係る補正値、及び／又はトーンに係る補正値である。
【００４７】
図６は音場補正方法１４０のフローチャートである。音場補正方法１４０は例えばオーディオシステム１００に適用される。Ｓ１４１では、音場測定期間に聴取位置の音を、該聴取位置に配置された携帯型情報処理装置１１０のマイクロホン１１１により検出する。
【００４８】
Ｓ１４２では、マイクロホン１１１の検出音に係るデータを携帯型情報処理装置１１０からオーディオ装置１３０へ送信する。Ｓ１４３では、オーディオ装置１３０が携帯型情報処理装置１１０から受信した音に係るデータに基づきオーディオ装置１３０の各チャンネルのオーディオ信号の補正値を算出する。
【００４９】
オーディオシステム１００について説明したオーディオシステム１００に適用した具体例は、そのまま、音場補正方法１４０の具体例となり得る。
【００５０】
例えば、Ｓ１４１の前に、音場測定用プログラム１１７を携帯型情報処理装置１１０にオーディオ装置１３０、又はオーディオ装置１３０のメーカの該Ｗｅｂサイトからからダウンロードし、インストールするステップを追加することかできる。その場合、Ｓ１４１〜Ｓ１４３は、音場測定用プログラム１１７に基づき実行される。
【００５１】
また、Ｓ１４１〜Ｓ１４３と並行して、表示手段１２１に、音場測定期間に音場測定に係る情報を表示させるステップを追加することもできる。
【００５２】
データ保存手段１２３に、音場測定期間におけるマイクロホン１１１の検出音に係るデータを音場測定データとして保存するステップを、追加することもできる。そして、適宜、保存中の音場測定データを通信手段１１２によりオーディオ装置１３０の通信手段１３１へ送信させるステップを追加し、次の音場測定の実行必要時では、該音場測定を省略することができる。
【００５３】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００５４】
【図１】ＡＶシステムの装備及び配置の状態を示す図である。
【図２】携帯電話機のブロック図である。
【図３】自動音場補正機能のフローチャートである。
【図４】自動音場補正機能におけるシーケンス図である。
【図５】オーディオシステムの構成図である。
【図６】音場補正方法のフローチャートである。
【符号の説明】
【００５５】
１００：オーディオシステム、１１０：携帯型情報処理装置、１１１：マイクロホン、１１２：通信手段、１１３：制御手段、１１７：音場測定用プログラム、１１８：インストール手段、１２１：表示手段、１２３：データ保存手段、１３０：オーディオ装置、１３１：通信手段、１３２：補正手段、１４０：音場補正方法。